(57)【特許請求の範囲】
【請求項１】
走行自在なベースマシンに支持されて上下方向に延びるガイドポストと、
前記ガイドポストの上方に設けられた駆動軸によって駆動される駆動スプロケットと、
前記ガイドポストの下端に軸着されたガイドスプロケットと、
前記駆動スプロケットと前記ガイドスプロケットに巻装され、前記ガイドポストの左右の端面に沿って周回走行する無端状のチエン部材と、
前記ガイドポストの前後の側面と周辺地盤との密着を解くために前記チエン部材に取り付けられたサイドカッタと、
前記駆動スプロケットを前後に挟むように同軸に設けられた前後一対のガイド輪と、
前記ガイドポストと前記前後一対のガイド輪との間でそれぞれ延びるガイド部材と、
を備え、
前記サイドカッタは、
前記チエン部材の走行方向に延びる支軸をそれぞれ有する、前記チエン部材に支持された前後一対のヒンジと、
前記前後一対のヒンジの支軸にそれぞれ枢支されて、その先端同士が互いに接近した閉じた状態とその先端同士が互いに離間した開いた状態との間で開閉自在な前後一対のカッタと、
前記前後一対のカッタを前記閉じた状態に付勢するバネと、を有しており、
前記前後一対のカッタは、前記チエン部材の走行に伴って周回するときに、前記ガイドポストの前後の側面にそれぞれ接近乃至接触して周辺地盤との密着を解く閉じた状態と、前記前後一対のガイド輪および前記ガイド部材に倣って摺動して前記駆動軸との干渉を回避する開いた状態と、を取るように構成されていることを特徴とする連続壁掘削機。
【発明の詳細な説明】
【０００１】
【発明の属する技術分野】
本発明は、地中に連続壁を造成するための連続壁掘削機に関する。
【０００２】
【従来の技術】
地中に連続壁を造成する手段として、従来から走行自在なベースマシンに垂下支持されるガイドポストの外周面にそってチエン部材をエンドレスに回動するよう巻装し、このチエン部材の外周面に棒状の掘削刃を所定のピッチをもって突設した連続壁掘削機が知られている。
【０００３】
上記掘削機を用いて連続壁を造成するには、予め掘削された縦穴内にガイドポストを挿入してセットし、前記チエン部材を回動させながらベースマシンを移動させてその走行方向に連続穴を掘削しながら薬液を注入し、掘削土砂と撹拌混合して連続壁を造成して行くものである。
【０００４】
【発明が解決しようとする課題】
しかして上記の掘削機では、掘削作業を長時間にわたり中断するときガイドポストを地中に建込んだまま放置しておいた場合、掘削土砂や注入薬液が圧密固化してガイドポストを上下左右に移動不能に拘束させてしまうことがあり、この拘束状態を解くための作業に多大な労力と時間を費やしている。
【０００５】
【課題を解決するための手段】
本発明は、地中にガイドポストを建込んだまま長時間放置するときガイドポストが土砂や薬液の固化により拘束されても直ちに解消して掘削作業に移行することができるように構成された連続壁掘削機であって、走行自在なベースマシンに支持されて上下方向に延びるガイドポストと、前記ガイドポストの上方に設けられた駆動軸によって駆動される駆動スプロケットと、前記ガイドポストの下端に軸着されたガイドスプロケットと、前記駆動スプロケットと前記ガイドスプロケットに巻装され、前記ガイドポストの左右の端面に沿って周回走行する無端状のチエン部材と、前記ガイドポストの前後の側面と周辺地盤との密着を解くために前記チエン部材に取り付けられたサイドカッタと、前記駆動スプロケットを前後に挟むように同軸に設けられた前後一対のガイド輪と、前記ガイドポストと前記前後一対のガイド輪との間でそれぞれ延びるガイド部材と、を備えている。
前記サイドカッタは、前記チエン部材の走行方向に延びる支軸をそれぞれ有する、前記チエン部材に支持された前後一対のヒンジと、前記前後一対のヒンジの支軸にそれぞれ枢支されて、その先端同士が互いに接近した閉じた状態とその先端同士が互いに離間した開いた状態との間で開閉自在な前後一対のカッタと、前記前後一対のカッタを前記閉じた状態に付勢するバネと、を有している。
そして、前記前後一対のカッタは、前記チエン部材の走行に伴って周回するときに、前記ガイドポストの前後の側面にそれぞれ接近乃至接触して周辺地盤との密着を解く閉じた状態と、前記前後一対のガイド輪および前記ガイド部材に倣って摺動して前記駆動軸との干渉を回避する開いた状態と、を取るように構成されていることを特徴とする。
【０００６】
こうしたことにより、掘削作業を休止したのちにおいて、掘削作業再開時にチエン部材を回動させれば、縁切り用のサイドカッタはチエンの回動に伴ってガイドポストを周回し、ガイドポストの前後の側面にそって摺動することになるので、ガイドポストに固着した掘削土砂や固化薬液が剥離され、掘削作業の休止後再起動する際に拘束状態を直ちに解消することができる。
【０００７】
【発明の実施の形態】
以下、本発明を図面に示す実施の形態を参照して説明する。
【０００８】
図１は本発明による連続壁掘削機の一実施形態の全体の側面図を示すもので、クローラ型のベースマシン１に門型フレーム２が設けられ、この門型フレーム２に鋼板により断面矩形状の箱形に形成されたガイドポスト３が周知のようにガイドレール４，５にホルダ６を介して上下動および横行動可能に支持されている。
【０００９】
上記ホルダ６によるガイドポスト３の支持手段は、従来と同様に油圧シリンダ（図示せず）のピストンロッドの先端とガイドポスト３の両側に設けられている連結用のピン孔とをピンで連結し、このピンの差替えによりガイドポスト３をガイドレールにそって尺取虫運動により順次圧入させるか、あるいはガイドポスト３をワイヤにより吊り持し、自重または圧入シリンダにより押込むようにされている。
【００１０】
上記ガイドポスト３の下端にはガイドスプロケット７が軸着され、前記ホルダ６にはモータ８により減速機部９内の減速機を介して駆動される駆動スプロケット１０があって、これらにチエン部材１１が無端回動自在に巻装されており、ガイドポスト３の幅狭側の左右の端面３ａ，３ａにそってチエン部材１１が走行するように構成されている。
【００１１】
上記チエン部材１１の外周面には図４〜図６に示されているように掘削刃１２，１２…が一定のピッチをもって固着突出されている。この掘削刃１２は、チエン部材１１に固着される基部１３の外側面に複数本の刃部１４，１４…が突設された構造のもので、この刃部１４，１４…は各掘削刃１２，１２…によって突出位置が異ならせてあり、全体として水平方向のすべてが刃部１４，１４…でカバーされるようになっている。
【００１２】
図２、図３に示すように前記駆動スプロケット１０の両側部の離間した位置から前記ガイドポスト３の上端にかけてホルダ６側のガイド部材１５が設けられ、前記駆動スプロケット１０の軸１６上で前記ガイド部材１５の各外側位置には円盤状のガイド輪１７，１７が固着されており、このガイド輪１７，１７の外周縁外面側は傾斜周面１７ａとされている。
【００１３】
なお符号１８は、前記チエン部材１１をガイドポスト３の側面領域から前記駆動スプロケット１０へ橋渡しするために設けられているトラックローラである。
【００１４】
前記チエン部材１１には掘削土砂や薬液等が固化して固着した固化物とガイドポスト３との縁を切るための縁切り用のサイドカッタ２０が設けられている。このサイドカッタ２０は、チエン部材１１の外周面に固着され前記ガイドポスト３の厚み相当の横幅を有するプレート２１と、このプレート２１の前後の両側部にヒンジ２２，２２により開閉自在に枢支されたカッタ２３，２３と、これらカッタ２３，２３をその先端が互いに接近する方向に付勢するバネ２４，２４（板バネ）とで構成され、ガイドポスト３の左右の端面３ａ，３ａをとり囲むように形成されている。前記カッタ２３，２３は先端がやや幅狭となるように前記ヒンジ２２を底辺として略台形状をなす板状のもので、これらカッタ２３，２３の先端は前記ホルダ６側のガイド部材１５および前後一対のガイド輪１７，１７の外周部にそっておかれる位置まで延びており、チエン部材１１の回動に伴って周回するとき前記ガイド部材１５およびガイド輪１７に倣って摺動するように構成されている。
【００１５】
なお図２においてはサイドカッタ２０が３個画かれているが、これはサイドカッタ２０の移動時の状態を示すため便宜上画かれているものであり、実際には少なくとも１個設けられるものである。
【００１６】
すなわち、サイドカッタ２０が図２に示すイ位置にあるときは、そのカッタ２３が前後一対のガイド輪１７の傾斜周面１７ａにそっておかれて図４に示すようにカッタ２３，２３は開いた状態となり、軸１６を回避するようになっている。ロ位置にあるときはカッタ２３，２３はホルダ６側のガイド部材１５にそっておかれて図５のようにやや開いた状態となり、さらにハ位置にあるときはカッタ２３，２３がバネ２４，２４の作用により図６のように閉じ位置におかれ、このときカッタ２３，２３がガイドポスト３の前後の側面３ｂ，３ｂに適宜ストッパにより接近乃至は接触した位置におかれるようになっている。
【００１７】
前記ガイドポスト３の内部には従来と同様に薬液供給路（図示省略）が設けられ、ガイドポスト３の下端乃至は下端近くから地中に薬液を噴出させることができるようになっている。
【００１８】
次に上記実施形態の作用を説明する。
【００１９】
ベースマシン１を連続壁造成位置へ移動させ、予め掘孔されている縦穴内に圧入シリンダ等によりガイドポスト３を挿入したのち薬液供給路を通じ薬液を供給して地中に薬液を注出させつつ無端状のチエン部材１１を周回させ、ベースマシン１を走行させることにより、チエン部材１１の外周に突出する掘削刃１２，１２…により地盤が掘削されて掘削溝が横方向に形成される。
【００２０】
上記掘削中、サイドカッタ２０はガイドポスト３を周回し、そのカッタ２３，２３が常にガイドポスト３の前後の側面３ｂ，３ｂにそって移動することになり、ガイドポスト３の前後の側面３ｂ，３ｂに固着した掘削土砂等を剥離させつつ掘削溝の造成が行なわれる。
【００２１】
掘削機を縦孔内に長時間にわたり放置した状態ののち掘削作業を再開するときは、モータ８を起動して無端状のチエン部材１１を回動させれば、サイドカッタ２０がガイドポスト３を周回し、ガイドポスト３の前後の側面３ｂ，３ｂと周辺地盤との密着が解かれ、ガイドポスト３が土砂や薬液の固化により左右方向への移動が不能な状態に拘束されていたとしてもこれを容易に解消することができ、直ちに掘削作業に移行することができる。
【００２２】
仮にガイドポスト３が拘束状態におかれていない場合でも、ガイドポスト３と地盤との間の摩擦を軽減して掘削作業をより円滑に開始することができる。
【００２３】
【発明の効果】
以上説明したように本発明によれば、掘削刃が突設されガイドポストを周回することにより地盤を掘削するためのチエン部材に、ガイドポストの前後の側面にそって移動する縁切り用のサイドカッタを設けたので、掘削作業の再開時にガイドポストが掘削土砂の圧密や薬液により固化して移動不能に拘束されていたとしても、チエン部材を起動させることにより上記拘束状態を解消することができ、従来のように手作業による拘束解除作業を必要とせずに直ちに掘削作業に移行することができる。
【００２４】
またサイドカッタはチエン部材の回動時に駆動スプロケットの駆動軸を回避して回動するよう開閉自在としてあるので、掘削作業時にいちいち取り外す必要がなく、余分な手数を要せずに常に支障なく掘削作業を行なわせることができる。
【図面の簡単な説明】
【図１】  本発明の一実施形態を示す正面図。
【図２】  図１のＰ部の拡大正面図。
【図３】  同、側面図。
【図４】  図２のＡ−Ａ相当の断面図。
【図５】  図２のＢ−Ｂ相当の断面図。
【図６】図２のＣ−Ｃ相当の断面図。
【符号の説明】
３  ガイドポスト
３ａ，３ａ  左右の端面
３ｂ，３ｂ  前後の側面
６  ホルダ
７  ガイドスプロケット
９  減速機部
１０  駆動スプロケット
１１  チエン部材
１２  掘削刃
１５  ガイド部材
１６  軸
１７  ガイド輪
１８  トラックローラ
２０  サイドカッタ
２３  カッタ
２４  バネ
【図１】
0004090598.tif 000002
【図２】
0004090598.tif 000003
【図３】
0004090598.tif 000004
【図４】
0004090598.tif 000005
【図５】
0004090598.tif 000006
【図６】
0004090598.tif 000007